(57)【要約】【課題】屋外等の暗いところでの光のイベントを演出するのに効果的でありながら、火器を不要とし、火気厳禁の場所でも当然に使用できるし、壊れ難く、人気マンガ等の主人公の顔形を模すことも容易であり、しかも、棒とその先に下げた胴部との結合力を高めたイベント用のちょうちんを提供する。【解決手段】本願ちょうちん１は、頂穴３と底穴４を有する透光性のプラスチック材からなる胴部２と、該胴部２の底穴４を囲むように設けた下環状体５に胴部２内を照射できるように設けたランプ機構６と、前記胴部２の頂穴３を囲むように設けた上環状体７の対向位置間に渡設された吊枠８と、該吊枠８の頂杆８′が係合する範囲で口１０を狭窄した凹溝１１を有する棒９とからなることを特徴とし、火器を使わずして暗い屋外での光のイベントを効果的に演出できるように構成した。【選択図】図１
0003120118.tif 000002
【実用新案登録請求の範囲】
【請求項１】
頂穴と底穴を有する透光性のプラスチック材からなる胴部と、該胴部の底穴を囲むように設けた下環状体に胴部内を照射できるように設けたランプ機構と、前記胴部の頂穴を囲むように設けた上環状体の対向位置間に渡設された吊枠と、該吊枠の頂杆が係合する範囲で口を狭窄した凹溝を有する棒とからなることを特徴とするイベント用のちょうちん。
【請求項２】
前記胴部が、人気マンガ等の主人公の顔形になっていることを特徴とする請求項１に記載のイベント用のちょうちん。
【請求項３】
前記吊枠が、前記上環状体の対向位置に起倒自在に軸支され、倒したときに上環状体の内周に沿って収納されるようになっていることを特徴とする請求項１又は２に記載のイベント用のちょうちん。
【請求項４】
前記凹溝が、その対向壁の一方を上方に延長し、その延長端に設けた突起により他方壁の上縁との間で口が狭窄されていることを特徴とする請求項１〜３のうちの１に記載のイベント用のちょうちん。
【考案の詳細な説明】
【技術分野】
【０００１】
本考案は、たとえば、子供が多く集まる大型イベント場などの会場内で日没後（あるいは夜間あるいは暗くした室内）に行われる種々のイベントでの目標あるいは照明として使用して好適なイベント用のちょうちんに関するものである。
【背景技術】
【０００２】
一般に、ちょうちんは、ろうそく用の灯火具で、図４に「ぶら提灯」を示す。従来型のぶら提灯４１は、胴部４２が球形（円筒形やなつめ形もある）になっており、竹ひごを螺旋状に巻いて骨４３とし、これに紙４４を貼り、上下に口４５と底４６を設けてなり、折り畳みできるようにしてある。しかして、前記底４６には、ろうそく４７が立てられるように構成されており、胴部を折り畳んで灯芯４７′を口４５から露出させて火器（図示せず）で火を灯し、胴部を旧状態に戻し、棒４８の先の鉤４８′に胴部４２の口４５に渡した吊り針金４９をぶら下げて持ち歩くことができるようになっていた。この「ぶら提灯」は小型であり、古くから庶民の間で広く使用されていた。今日でも提灯行列や祝賀行列などに用いられ、また、海外にも多く輸出されている。
【考案の開示】
【考案が解決しようとする課題】
【０００３】
しかしながら、上述の如く、提灯行列や祝賀行列などに用いられる、ちょうちんは、日没後（あるいは夜間）において、屋外等で行われるイベントを演出するためには至極効果的な道具であるが、次のような問題点があった。すなわち、
（イ）光源としてろうそくを用いる点。ろうそくを灯すにはマッチとかライターなどの火器が必要とされ、子供に扱わせるには危険であったばかりでなく、火気厳禁の場所では到底使用できなかった。
（ロ）竹ひごと紙で作られていた胴部は材質的な弱さがあった点。胴部が小さく折り畳めるから携行には便利であるとしても壊れ易いものであった。
（ハ）形態が限られていた点。竹ひごと紙で作られるため、形態が球形、円筒形、なつめ形などに限られ、たとえば、人気マンガ等の主人公の顔形を模した形状に形成することは困難であった。
（ニ）棒とその先端に下げた胴部との結合がラフであった点。屋外等の暗いところでの光のイベント中に胴部が落下する恐れがあった。
【０００４】
本考案は、上記の点に鑑み創出したもので、その目的とするところは、屋外等の暗いところでの光のイベントを演出するのに効果的でありながら、火器を不要とし、火気厳禁の場所でも当然に使用できるし、壊れ難く、人気マンガ等の主人公の顔形を模すことも容易であり、しかも、棒とその先に下げた胴部との結合力を高めたイベント用のちょうちんを提供することにある。
【課題を解決するための手段】
【０００５】
上記の目的を達成するため、本考案に係るイベント用のちょうちんは、頂穴と底穴を有する透光性のプラスチック材からなる胴部と、該胴部の底穴を囲むように設けた下環状体に胴部内を照射できるように設けたランプ機構と、前記胴部の頂穴を囲むように設けた上環状体の対向位置間に渡設された吊枠と、該吊枠の頂杆が係合する範囲で口を狭窄した凹溝を有する棒とからなることを特徴とし、火器を使わずして暗い屋外での光のイベントを効果的に演出できるように構成した。
【０００６】
また、請求項２に記載のイベント用のちょうちんは、前記胴部が、人気マンガ等の主人公の顔形になっていることを特徴とし、暗い屋外等での光のイベントに参加する子供たちの興味を大いに惹けるように構成した。
【０００７】
さらに、請求項３に記載のイベント用のちょうちんは、前記吊枠が、前記上環状体の対向位置に起倒自在に軸支され、倒したときに上環状体の内周に沿って収納されるようになっていることを特徴とし、倒したときに頂穴より子供の手や大人の指先などが容易に入れられるように構成した。
【０００８】
さらに、請求項４に記載のイベント用のちょうちんは、前記凹溝が、その対向壁の一方を上方に延長し、その延長端に設けた突起により他方壁の上縁との間で口が狭窄されていることを特徴とし、棒に設けた凹溝と胴部の吊枠との結合性を高め、いったん結合した後は外れ難くなるように構成した。
【考案の効果】
【０００９】
本考案によれば、光源としてランプを用いたことにより、マッチやライターなどの火器が不要であり、火気厳禁の場所でも安全に使用できるし、プラスチック材からなる胴部は材質的な強さが得られ、長期使用に耐えられる。また、プラスチック材からなる胴部はいかなる形態にも成形自在であり、人気マンガ等の主人公の顔形を模した形状に形成することも安易であり、棒に下げた凹溝と吊枠の頂杆との結合性を高めてイベント中に外れることがないなど各種の優れた効果を奏するものである。
【００１０】
また、請求項２に記載の考案によれば、胴部が人気マンガ等の主人公の顔形であって、子供たちの興味を大いに惹けるから、日没後のように屋外などの暗いところでの光のイベントに参加する子供たちの気持を盛り上げ得るという優れた効果を奏するものである。
【００１１】
さらに、請求項３に記載の考案によれば、前記吊枠が、前記上環状体の対向位置に起倒自在に軸支され、倒したときに上環状体の内周に沿って収納され、頂穴より子供の手や大人の指先などが容易に入れられるため、たとえば、ランプ機構の豆電球の交換などの作業が容易となるという優れた効果を奏するものである。
【００１２】
さらに、請求項４に記載の考案によれば、前記凹溝が、その対向壁の一方を上方に延長し、その延長端に設けた突起により他方壁の上縁との間で口が狭窄されているため、凹溝と胴部の吊枠との結合性を高め、いったん結合した後は外れ難くなり、イベント中に胴部が落下の恐れがないという優れた効果を奏するものである。
【考案を実施するための最良の形態】
【００１３】
次に、本考案の実施の最良の態様を図面に基いて説明する。図１は本願ちょうちん型ランプ外観斜視図、図２は同断面側面図、図３は吊枠の正面側から見た断面図である。
【００１４】
１は本願ちょうちんである。本願ちょうちん１は、透光性のプラスチック材を成形してなる胴部２を備えている。この胴部２には頂穴３と底穴４が設けられている。該底穴４にはこれを囲むように下環状体５が設けられるとともに、該下環状体５には胴内を照射できるランプ機構６が設けられている。
【００１５】
また、前記胴部２の頂穴３には、これを囲むように上環状体７が設けられるとともに、その内側の対向位置間には吊枠８が渡設されている。この吊枠８の頂杆８′は、棒９の先端側の上面に設けた口１０が狭窄された凹溝１１に係合できるようになっている。換言すれば、胴部２は、棒９の凹溝１１に吊枠８を介してぶら下げられるようになっている。
【００１６】
前記胴部２は、プラスチック材からなり、竹ひごや紙を使用していないが、竹ひごと紙とからなるような外観（図示せず）を呈している。また、胴部２は、子供たちの興味を惹けるようにするため、耳たぶ（図示せず）を付けたり、目鼻を描いたり（図示せず）して人気マンガ等の主人公の顔形を模している。なお、透光性のプラスチック材は乳白色に着色されているものがよいが、透光性が確保されている限り、他の色に着色されているものでもよい。勿論、プラスチック材自体は透明でも、胴部２の内面側、外面側に着色した薄肉素材を貼ってもよい。
【００１７】
前記ランプ機構６は、前記下環状体５にはめ込み式に電源電池６ａを収納した電池ボックス６ｂと、該電池ボックス６ｂの頂面から立てた筒体６ｃの頂部にはソケット６ｄがスイッチ６ｅを介して前記電池６ａに電気的に導通し、該ソケット６ｄに豆電球６ｆが交換可能に螺入してなる。前記スイッチ６ｅは下環状体５から外部に露出されている。
【００１８】
前記吊枠８は、その頂杆８′を支える脚部８ａ、８ｂが図３の如く、Ｏ脚状になっており、軸支点８ａ′、８ｂ′を中心に起倒自在になっており、倒したときには前記上環状体７の内周に沿って図２の一点鎖線の如く収納されるようになっている。これは吊枠８を倒したときに頂穴３より、図示していないが、子供の手指や大人の指先などが入れられるようにし、前記ランプ機構６の豆電球６ｆの交換などを前記胴部２の頂穴３側から作業できるようにするためである。また、吊枠８は軸支点８ａ′、８ｂ′を中心に起こしたときは脚部８ａ、８ｂが図１及び図２の如く、上環状体７に設けたストッパー７′に当接し、垂直状に立つようになっている。
【００１９】
前記棒９の凹溝１１は、図２の如く、該凹溝１１の対向壁の一方壁を上方に延長し、その延長端に突起１２を設け、該突起１２と、該凹溝１１の他方壁の上縁との間で口１０が狭窄してなる。この口１０の寸法Ａは、前記胴部２の吊枠８の頂杆８′の太さ（外径）と同じか極めて僅かだけ小さく（素材の弾性により結合可能）なっている。すなわち、胴部２の吊枠８の頂杆８′を前記棒９の凹溝１１に結合させるときは結合性を損なわず、いったん結合した後は外れ難くなるようにしている。
【産業上の利用可能性】
【００２０】
本願ちょうちんは、上述の如く、子供が多く集まる大型イベント場などにおいて販売して有効であり、その会場内で日没後（あるいは夜間）などにおいて行われる種々のイベントでの目標あるいは照明として使用できる利用可能性は高いものである。
【図面の簡単な説明】
【００２１】
【図１】本願ちょうちん型ランプ外観斜視図である。
【図２】同断面側面図である。
【図３】吊枠の正面側から見た断面図である。
【図４】従来型のぶら提灯を示す斜視図である。
【符号の説明】
【００２２】
１  本願ちょうちん
２  胴部
３  頂穴
４  底穴
５  下環状体
６  ランプ機構
６ａ  電源電池
６ｂ  電池ボックス
６ｃ  筒体
６ｄ  ソケット
６ｅ  スイッチ
６ｆ  豆電球
７  上環状体
７′  ストッパー
８  吊枠
８ａ、８ｂ  脚部
８ａ′、８ｂ′  軸支点
８′  頂杆
９  棒
１０  凹溝の口
１１  凹溝
１２  突起
【図１】
0003120118.tif 000003
【図２】
0003120118.tif 000004
【図３】
0003120118.tif 000005
【図４】
0003120118.tif 000006